(57)【特許請求の範囲】
【請求項１】
コンロ本体の前面パネルに開設した透孔を通して前面パネルの前方に出没自在な操作盤を備えるコンロにおいて、
前面パネルの背面側に、透孔より下方に位置する下端の軸部を支点にして前後方向に揺動する揺動枠が設けられ、この揺動枠に操作盤の後端部が連結され、揺動枠の揺動により操作盤が透孔を通して前面パネルの前方に出没することを特徴とするコンロ。
【請求項２】
前記操作盤の前端面の前側に、操作盤が前記コンロ本体内の没入位置に存するときに前記透孔に嵌合する前カバーが設けられ、前カバーは後方にのびるレバーを介して操作盤に上下動自在に支持され、操作盤が前記前面パネルの前方の突出位置に存するときに、レバーの下方への揺動で前カバーが操作盤に対し下動すると共に、レバーに形成した係合部が前記透孔の下縁に係合して、操作盤の突出位置からの後退が阻止されることを特徴とする請求項１記載のコンロ。
【請求項３】
前記前カバーの下部が前記レバーの前端部に枢着され、前カバーの上部が前記操作盤に上下方向に移動自在に係合することを特徴とする請求項２記載のコンロ。
【発明の詳細な説明】
【技術分野】
【０００１】
本発明は、コンロ本体の前面パネルの前方に出没自在な操作盤を備えるコンロに関する。
【背景技術】
【０００２】
従来、温調機能や調理タイマ機能等の各種機能を有するコンロとして、コンロ本体の前面パネルの上部にコンロの熱源のオンオフ操作及び加熱量の調節を行う操作摘みを配置すると共に、操作摘みの配置部の下側の前面パネルの部分を切り欠いて、この切欠き部に、下端の軸部を支点にして前後方向に揺動自在な可動体を配置し、可動体の上面に各種機能の選択や設定を行うスイッチ等の操作部材を有する操作盤を取り付け、可動体を前方に揺動させることにより操作盤を前面パネルの前方に突出させて、操作部材を操作できるようにしたものが知られている(例えば、特許文献１参照)。
【０００３】
このものでは、可動体を後方に揺動させてコンロ本体に没入させることにより、操作盤が外観に現われなくなり、コンロ前面がスッキリとする。ところで、上記従来例のものでは、可動体を前方に揺動突出させて操作盤を広く露出させるために、操作盤から可動体の下端の揺動支点までの距離、即ち、可動体の高さ寸法を大きくする必要がある。その結果、操作盤の露出時に前面パネルの前方に突出する操作盤以外の可動体の部分が目立つようになり、体裁を損なう。
【０００４】
かかる不具合を解消するため、コンロ本体の前面パネルに操作盤に対応する大きさの透孔を開設すると共に、コンロ本体内に透孔に臨む収納箱を配置して、操作盤を収納箱に前後方向に摺動自在に収納し、収納箱に対する操作盤の前方への摺動で操作盤を透孔を通して前面パネルの前方に突出させるようにしたものも知られている(例えば、特許文献２参照)。これによれば、操作盤のみが前面パネルの前方に突出することになり、体裁が良好になる。
【０００５】
然し、このものでは、操作盤が収納箱に対し摺動するため、ある程度使用すると、操作盤と収納箱との摺動部の摩耗やこじりにより操作盤がスムーズに動かなくなることがあり、耐久性の点で問題がある。
【特許文献１】特開平３−２３３２２６号公報
【特許文献２】特開２００５−１９５２６０号公報
【発明の開示】
【発明が解決しようとする課題】
【０００６】
本発明は、以上の点に鑑み、コンロ本体の前面パネルの前方に操作盤のみが突出するようにした型式のコンロであって、操作盤の出没動作の円滑性が長期に亘って確保されるようにした耐久性に優れたコンロを提供することをその課題としている。
【課題を解決するための手段】
【０００７】
上記課題を解決するために、本発明は、コンロ本体の前面パネルに開設した透孔を通して前面パネルの前方に出没自在な操作盤を備えるコンロにおいて、前面パネルの背面側に、透孔より下方に位置する下端の軸部を支点にして前後方向に揺動する揺動枠が設けられ、この揺動枠に操作盤の後端部が連結され、揺動枠の揺動により操作盤が透孔を通して前面パネルの前方に出没することを特徴とする。
【０００８】
本発明によれば、揺動枠が前面パネルの背面側に位置して外観に現われず、操作盤のみが透孔を通して前面パネルの前方に突出し、体裁が良好になる。そして、操作盤は揺動枠の下端の軸部を支点した円弧運動で出没動作することになり、摺動方式のもののように摺動部の摩耗やこじりで操作盤の動きが妨げられることがない。従って、操作盤の出没動作の円滑性が長期に亘って確保され、耐久性が向上する。
【０００９】
尚、操作盤が前面パネルの前方の突出位置に存する状態で操作盤上の操作部材を斜め前上方から押し操作し、操作力の作用線が揺動枠の軸部より後方にずれると、揺動枠に後方への揺動モーメントが作用し、操作盤が突出位置から後退してしまう可能性がある。また、操作盤上の操作部材が操作盤の出没動作に際し透孔の上縁に干渉しないように、操作盤の上面と透孔の上縁との間にある程度隙間を空ける必要があり、このままでは、操作盤の没入状態でこの隙間が目立ち体裁を損なう。この場合、操作盤の没入状態でその上面と透孔の上縁との間の隙間を目隠しできるように、操作盤の上面前端部に立上り部を形成することも考えられるが、これでは、操作盤の上面の前側部分に配置する操作部材を操作する際に、指が立上り部に当たって操作部材の操作性が悪くなる。
【００１０】
そこで、本発明においては、操作盤の前端面の前側に、操作盤がコンロ本体内の没入位置に存するときに透孔に嵌合する前カバーが設けられ、前カバーは後方にのびるレバーを介して操作盤に上下動自在に支持され、操作盤が前面パネルの前方の突出位置に存するときに、レバーの下方への揺動で前カバーが操作盤に対し下動すると共に、レバーに形成した係合部が透孔の下縁に係合して、操作盤の突出位置からの後退が阻止されるようにすることが望ましい。
【００１１】
これによれば、操作盤の没入位置において、操作盤に対し前カバーをその上縁が操作盤の上面より上方に位置するような位置関係で透孔に嵌合させることにより、操作盤の上面と透孔の上縁との間の隙間を前カバーにより目隠しすることができ、体裁が良好になる。また、操作盤が突出位置に存するときは、操作盤に対し前カバーが下動するため、操作盤上の操作部材の操作に際し前カバーが邪魔にならず、操作部材を操作性良く操作できる。更に、レバーの係合部が透孔の下縁に係合して操作盤が突出位置にロックされるため、操作部材に対する操作力で操作盤が不用意に後退することを防止できる。そして、前カバーを押し上げれば、レバーが上方に揺動してロックが解除され、前カバーを後方に押すことで操作盤を突出位置から後退させてコンロ本体内に没入させることができる。
【００１２】
ここで、レバーは前カバーに一体的に固定されていても良いが、これでは、操作盤が突出位置に存するときに、レバーの下方への揺動に伴い前カバーが操作盤の前端面に対し前傾する方向に傾いて、前カバーの上縁と操作盤の前端との間の隙間が大きくなり、使用者に違和感を与える。
【００１３】
これに対し、前カバーの下部がレバーの前端部に枢着され、前カバーの上部が操作盤に上下方向に移動自在に係合していれば、前カバーをレバーの揺動に伴い操作盤の前端面にほぼ平行に上下動させることが可能になり、上記の不具合を生じない。
【発明を実施するための最良の形態】
【００１４】
図１は、システムキッチンのカウンタトップＣＴ(図３参照)に組み込むドロップイン式ガスコンロを示している。このコンロは、上面を開放面とする箱形のコンロ本体１を備えている。コンロ本体１の上縁には、図３に示す如く、外曲げフランジ１ａが形成されており、コンロ本体１をカウンタトップＣＴに開設したコンロ開口ＣＴａに落とし込んだ状態で、外曲げフランジ１ａをコンロ開口ＣＴａの開口縁部に掛止して、コンロ本体１をカウンタトップＣＴに吊持させている。そして、カウンタトップＣＴ上に載置する天板２によりコンロ本体１を外曲げフランジ１ａに亘って上方から覆うようにしている。
【００１５】
コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置すると共に、天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。また、図示しないが、各コンロバーナ３とグリル４に設けるグリルバーナ(図示せず)に対する各ガス通路には電動バルブが介設されており、コンロ本体１内のコントローラが後述する操作盤７，７´からの信号に応じて各電動バルブを制御し、これら各バーナの点消火と火力調節とが行われる。
【００１６】
カウンタトップＣＴの下側で前方に露出するコンロ本体１の前面部分には、横方向中間に位置させてグリル扉４ａが配置され、また、グリル扉４ａの横方向両側に位置させて左右一対の前面パネル６，６が配置されている。尚、グリル扉４ａは、コンロ本体１の横方向中央部から左側に偏倚しており、右側の前面パネル６の方が左側の前面パネル６より横方向長さが長くなっている。
【００１７】
前面パネル６は、図３に示す如く、アルミニウムの押し出し成形材で形成される前板６１と、樹脂製の中板６２と、板金製の裏板６３との３層構造になっている。ここで、中板６２及び裏板６３はコンロ本体１の前面に予め取付けられているが、前板６１は、コンロ本体１の横方向各側の側板部よりも横方向外方に張り出しており、コンロ本体１をカウンタトップＣＴに落と込んだ後に取付けられる。そして、カウンタトップＣＴの下に確保するコンロ設置空間の左右の各側面とコンロ本体１の左右の各側板部との間に生ずる隙間を前板６１で目隠しできるようにしている。
【００１８】
各前面パネル６には、前板６１、中板６２及び後板６３の３者に亘って横長の透孔６ａが形成されている。そして、図２に示す如く、右側の前面パネル６の透孔６ａを通してこの前面パネル６の前方に出没自在なコンロバーナ３用の操作盤７を設けている。また、左側の前面パネル６の透孔６ａを通してこの前面パネル６の前方に出没自在なグリル用の操作盤７´も設けられている。グリル用操作盤７´は基本的にコンロバーナ用の操作盤７と同様の構造になっており、以下、コンロバーナ用の操作盤７について説明し、グリル用操作盤７´の説明は省略する。
【００１９】
操作盤７の上面には、操作部材として、３個のコンロバーナ３の夫々の点消火操作及び火力調節を行う３個の操作摘み７ａと、温調機能や調理タイマ機能といった各種機能の選択や設定を行う複数のスイッチ７ｂとが配置されている。尚、コンロバーナ３の点消火及び火力調節用の操作部材は前面パネル６に配置しても良いが、本実施形態のように操作盤７に各種機能の選択や設定を行うスイッチ７ｂに加えてコンロバーナ３の点消火操作及び火力調節を行う操作摘み７ａを配置すれば、前面パネル６には、操作部材が一切配置されなくなり、コンロ前面がスッキリして体裁が良くなる。
【００２０】
各操作摘み７ａは、プッシュプッシュ機構(図示せず)により操作盤７の上面に出没自在である。そして、各操作摘み７ａを１回目の押し操作で上方に突出させたとき(図２、図４に示す状態)、対応するコンロバーナ３に点火され、各操作摘み７ａを突出状態で回転することにより対応するコンロバーナ３の火力調節が行われ、各操作摘み７ａを２回目の押し操作で下方に没入させたとき、対応するコンロバーナ３が消火される。
【００２１】
図３乃至図５を参照して、前面パネル６の背面側には揺動枠８が設けられており、揺動枠８に操作盤７の後端部が連結されている。揺動枠８は、透孔６ａの下方に位置する軸部８１を支点にして前後方向に揺動自在であり、揺動枠８の揺動で操作盤７が透孔６ａを通して前面パネル６の前方に出没する。
【００２２】
これを詳述するに、前面パネル６の裏板６３の下端近傍の左右両側部にＵ字状の軸受部６４を切起しで形成し、この軸受部６４に揺動枠８の下端の左右両側部に設けた軸部８１を回転自在に係合させ、揺動枠８を裏板６３に軸部８１を介して前後方向に揺動自在に軸支させるようにしている。
【００２３】
また、揺動枠８の上部の左右両側部に後方への切起し部８２，８３を形成し、一側の切起し部８２と裏板６３との間に引張りばね８４を張設すると共に、他側の切起し部８３と裏板６３との間にダンパ８５を架設している。更に、コンロ本体１内に、下端部がコンロ本体１の底板に締結されると共に、前面パネル６の裏板６３にアーム部９ａを介して連結されるブラケット９を配置して、ブラケット９の上端にプッシュプッシュ式の係合ユニット１０を取り付けている。そして、操作盤７がコンロ本体１内に没入したとき、操作盤７の後端下部に設けた爪部１０ａが係合ユニット１０に係合して、操作盤７が没入位置にロックされるようにしている。
【００２４】
没入位置に存する操作盤７を前方から軽く押すと、係合ユニット１０によるロックが解除される。そして、揺動枠８が引張りばね８４の付勢力とダンパ８５による緩衝力とを受けて前方に緩やか揺動し、図４に示す如く、操作盤７が透孔６ａを通して前面パネル６の前方に突出する。この際、揺動枠８は前面パネル６の背面側に位置して外観に現われず、体裁が良好に保たれる。また、操作盤７は揺動枠８の下端の軸部８１を支点した円弧運動で出没動作することになる。そのため、摺動方式で出没させるもののように摺動部の摩耗やこじりで操作盤の動きが妨げられることがなく、操作盤７の出没動作の円滑性が長期に亘って確保され、耐久性が向上する。
【００２５】
操作盤７は、操作部材たる操作摘み７ａ及びスイッチ７ｂを上面に配置した本体部７１と、本体部７１を囲う外ケース７２とで構成され、操作盤７の後端部たる外ケース７２の後板部７２ａを揺動枠８に連結している。また、操作盤７の前端面の前側、即ち、外ケース７２の前板部７２ｂの前側には、操作盤７が没入位置に存するときに透孔６ａに嵌合する前カバー７３が配置されている。前カバー７３は、後方にのびる左右一対のレバー７４を介して操作盤７の外ケース７２に上下動自在に支持されている。
【００２６】
これを詳述するに、外ケース７２の左右の各側板部７２ｃの後端下部に各レバー７４の後端部を軸７４ａで枢着すると共に、前カバー７３の背面の左右各側部の下部に突設した突片７３ａに各レバー７４の前端部を軸７４ｂで枢着している。尚、側板部７２ｃの下部は横方向内方に凹入しており、レバー７４をこの凹入部に入り込ませて、外ケース７２の横幅内にレバー７４が収まるようにしている。また、図６に示す如く、外ケース７２の各側板部７２ｃの前部内面に上下方向に長手のガイド溝７２ｄを形成し、前カバー７３の背面の左右各側部の上部に突設した突片７３ｂをこれに取付けたピン７３ｃを介してガイド溝７２ｄに係合させている。
【００２７】
また、図３、図４に示す如く、前面パネル６の中板６２に、透孔６ａの下縁の左右の各端部に位置する凸部６５を形成すると共に、レバー７４の下縁に、操作盤７が突出位置に存する状態で凸部６５の前縁に合致する部分に位置させて、上方への凹入段差部から成る係合部７４ｃを形成している。
【００２８】
かくして、操作盤７が突出位置に前進し、レバー７４の係合部７４ｃが凸部６５の前縁に合致する位置に到達すると、図４に示す如く、レバー７４がそれ自体および前カバー７３の自重により後端の軸７４ａを支点にして下方に揺動し、係合部７４ｃが凸部６５の前縁に係合して、操作盤７の突出位置からの後退が阻止される。従って、操作盤７上の操作摘み７ａやスイッチ７ｂから成る操作部材を斜め前上方から押し操作することにより、操作力の作用線が揺動枠８の軸部８１の後方にずれて揺動枠８に後方への揺動モーメントが作用しても、操作盤７は突出位置に保持され、操作部材を安心して操作することができる。
【００２９】
操作盤７が突出位置に存する状態で前カバー７３を押し上げると、レバー７４が上方に揺動して係合部７４ｃが凸部６５から外れ、操作盤７の突出位置でのロックが解除される。従って、操作盤７を前カバー７３を介して後方に押してコンロ本体１内に没入させることができる。
【００３０】
ところで、操作盤７上の操作摘み７ａやスイッチ７ｂから成る操作部材が操作盤７の出没動作に際し透孔６ａの上縁に干渉しないように、操作盤７の上面と透孔６ａの上縁との間にある程度隙間を空ける必要がある。このままでは、操作盤７の没入状態でこの隙間が目立ち体裁を損なう。一方、本実施形態では、図３に示す如く、前カバー７３をその上縁が操作盤７の上面より上方に位置するように操作盤７に対し上動させた状態で操作盤７を没入させて、前カバ−７３を透孔６ａに嵌合させることができる。そのため、操作盤７の上面と透孔６ａの上縁との間の隙間を前カバー７３により目隠しすることができ、体裁が良好になる。また、操作盤７の下面と透孔６ａの下縁との間に生ずる隙間も前カバー７３により目隠しされる。
【００３１】
尚、前カバー７３の上縁が操作盤７の上面より上方に位置したままであると、操作盤７を突出させて操作摘み７ａを操作する際に、指が前カバー７３の上縁に当たって操作摘み７ａの操作性が悪くなる。然し、本実施形態では、操作盤７が突出位置に存するときは、操作盤７に対し前カバー７３が下動するため、操作盤７上の操作摘み７ａの操作に際し前カバー７３が邪魔にならず、操作摘み７ａを操作性良く操作できる。
【００３２】
ところで、レバー７４は前カバー７３に一体的に固定されていても良いが、これでは、操作盤７が突出位置に存するときに、レバー７４の下方への揺動に伴い前カバー７３が操作盤７の前端面に対し前傾する方向に傾いて、前カバー７３の上縁と操作盤７の前端との間の隙間が大きくなり、使用者に違和感を与える。これに対し、本実施形態では、前カバー７３がその下部の突片７３ａにおいてレバー７４の前端部に枢着されるため、レバー７４に対する前カバー７３の傾動が許容される。そして、操作盤７の外ケース７２に形成したガイド溝７２ｄに前カバー７３の上部がピン７３ｃを介して上下方向に移動自在に係合するため、前カバー７３はガイド溝７２ｄに案内されて操作盤７の前端面にほぼ平行に上下動する。従って、操作盤７が突出位置に存するときに、前カバー７３の下動に伴って前カバー７３の上縁と操作盤７の前端面との間に大きな隙間が生ずることを防止できる。
【００３３】
以上、本発明の実施形態について図面を参照して説明したが、本発明はこれに限定されない。例えば、上記実施形態のコンロはドロップイン式ガスコンロであるが、ガスコンロ以外のコンロ、例えば熱源として電気ヒータを用いる電気コンロ、更には、熱源として電磁誘導コイルを用いるＩＨコンロにも同様に本発明を適用できる。また、本発明は、ドロップイン式コンロに限らず卓上式コンロにも適用できる。
【図面の簡単な説明】
【００３４】
【図１】本発明の実施形態のコンロの斜視図。
【図２】実施形態のコンロの操作盤を突出させた状態の斜視図。
【図３】図１のＩＩＩ−ＩＩＩ線で切断したコンロ前部の切断側面図。
【図４】図２のＩＶ−ＩＶ線で切断したコンロ前部の切断側面図。
【図５】実施形態のコンロの前面パネルを斜め後方から見た斜視図。
【図６】操作盤の本体部を取外した外ケースの要部の斜視図。
【符号の説明】
【００３５】
１…コンロ本体、６…前面パネル、６ａ…透孔、７…操作盤、７３…前カバー、７４…レバー、７４ｃ…係合部、８…揺動枠、８１…軸部。
【図１】
0004398928.tif 000002
【図２】
0004398928.tif 000003
【図３】
0004398928.tif 000004
【図４】
0004398928.tif 000005
【図５】
0004398928.tif 000006
【図６】
0004398928.tif 000007